(57)【要約】【課題】寝室に適した照明と温度に関与する環境を形成する機能を寝室家具に備えることによって、良好な睡眠環境を総合的に形成するとともに、寝室としてまとまりのあるインテリアデザインの形成を容易とする、寝室家具の構成について提案する。【解決手段】側面に空調装置の温風吹出口２４と床４４を照らす照明装置（足下照明２５）とを設けたベッド２０と、側面に空調装置の冷風吹出口３１と、天井４３或いは壁、または、天井４３及び壁を照らす照明装置（天井照明３２）を設けた天蓋３０とで、寝室家具１０を構成した。そして、ベッド２０及び天蓋３０の内部空間に送風配管を配設し、また、温風吹出口２４又は冷風吹出口３１からの送風は略水平方向に送られるようにした。【選択図】図２
2005211317.tif 000002
【特許請求の範囲】
【請求項１】
側部近傍に空調装置の温風吹出口を形成したベッドと、
側部近傍に空調装置の冷風吹出口を形成した箱形状の天蓋とを、
備えることを特徴とする、寝室家具。
【請求項２】
側部近傍に床を照らす照明装置を設けたベッドと、
側部近傍に天井或いは壁、または、天井及び壁を照らす照明装置を設けた天蓋とを、
備えることを特徴とする、寝室家具。
【請求項３】
側部近傍に空調装置の温風吹出口と床を照らす照明装置とを設けたベッドと、
側部近傍に空調装置の冷風吹出口と、天井或いは壁、または、天井及び壁を照らす照明装置を設けた天蓋とを、
備えることを特徴とする、寝室家具。
【請求項４】
前記寝室家具において、ベッド及び天蓋の内部空間に送風配管を配設した、請求項１又は請求項３に記載の寝室家具。
【請求項５】
前記寝室家具において、温風吹出口及び冷風吹出口より、略水平方向に送風されるようにした、請求項１、請求項３又は請求項４のいずれかに記載の寝室家具。
【発明の詳細な説明】
【技術分野】
【０００１】
本発明は、寝室に配設される寝室家具の構造に関する。
【背景技術】
【０００２】
生活リズムの乱れや、最近のストレスに満ちた社会を反映して、不眠に悩まされる人が増大する昨今では、「快眠」を求める声が高まっている。さらに、睡眠時間は人の生活時間の中で大きな割合を占め、快眠を得るために、単に眠るというだけでなく、寝具や寝室の選定によって睡眠環境を整えようとする意識が高まっている。
【０００３】
快適な睡眠を得るためには、寝室環境は重要である。部屋の照明が明るすぎたりすると、脳が刺激されるため、なかなか寝つくことができない。また、部屋の温度や湿度も快適な睡眠を得るために重要な条件の一つであり、寒過ぎても暑過ぎても安眠することができない。
一般に、寝室の明るさは２０〜３０ルクスがよいとされている。これは、朧気にものの形がみえる程度の照度である。なお、眠りに入るときは、照明の照度を徐々に落とし、ゆっくりと眠りに入る環境を調えることが好ましいとされている。
また、一般に、寝室の理想的な室温は夏が２５℃、冬は１５℃、湿度は年間を通して５０％とされている。
【０００４】
これらの、照明・温度に関して快適な寝室環境を整えるために、寝室のための技術が開発されている。例えば、一般に市販されている照明装置には、明るさのコントロールできたり、徐々に暗くなったり、徐々に明るくなったりする制御が為されているものがある。また、市販されている空調装置には、送風が身体に直接当たらないようにしたり、送風をランダムな間隔にしたり、室温を略一定に保持したりする制御が為されているものがある。
【０００５】
さらに、送風が身体に直接当たらないようにして、睡眠に適した穏やかな空気の流れを形成するために、ベッドの周囲に空調設備の吹出口を設ける技術が公開されている。
例えば、特許文献１や特許文献２に記載の技術では、ベッドフレームの側部に空調設備の吹出口を設けたものが公開されている。また、特許文献３に記載の技術では、ベッドヘッドの上部に空調設備の吹出口を設けたものが公開されている。
【０００６】
【特許文献１】特開２０００−１８６３８号公報
【特許文献２】特開２００１−３４０１７０号公報
【特許文献３】実開平４−９６２５７号公報
【発明の開示】
【発明が解決しようとする課題】
【０００７】
寝室において、照明と温度とに関与する機能は、それぞれ別体として備えられることが一般的である。例えば、照明の機能は、天井等に設けられる照明装置や、ベッドサイドに配置される手元照明装置等として備えられており、温度の機能は室内壁面に備えられる空調装置等として備えられている。このように照明と温度とに関与する機能は別体として構成され、また、別々のメーカー品であるために、照明装置と空調装置と寝室家具との、個々の配置計画やインテリアデザイン計画等において、相互の関連性が考慮されていなかった。
そこで、本発明では、寝室に適した照明と温度に関与する環境を形成する機能を寝室家具に備えることによって、良好な睡眠環境を総合的に形成するとともに、寝室としてまとまりのあるインテリアデザインの形成を容易とする、寝室家具の構成について提案する。
【課題を解決するための手段】
【０００８】
本発明の解決しようとする課題は以上の如くであり、次にこの課題を解決するための手段を説明する。
【０００９】
即ち、請求項１においては、側部近傍に空調装置の温風吹出口を形成したベッドと、側部近傍に空調装置の冷風吹出口を形成した箱形状の天蓋とを、備える寝室家具である。
【００１０】
請求項２においては、側部近傍に床を照らす照明装置を設けたベッドと、側部近傍に天井或いは壁、または、天井及び壁を照らす照明装置を設けた天蓋とを、備える寝室家具である。
【００１１】
請求項３においては、側部近傍に空調装置の温風吹出口と床を照らす照明装置とを設けたベッドと、側部近傍に空調装置の冷風吹出口と、天井或いは壁、または、天井及び壁を照らす照明装置を設けた天蓋とを、備える寝室家具である。
【００１２】
請求項４においては、前記寝室家具において、ベッド及び天蓋の内部空間に送風配管を配設したものである。
【００１３】
請求項５においては、前記寝室家具において、温風吹出口及び冷風吹出口より、略水平方向に送風されるようにしたものである。
【発明の効果】
【００１４】
本発明の効果として、以下に示すような効果を奏する。
【００１５】
請求項１においては、寝室家具のベッドで寝る人に直接風を当てることなく穏やかな冷気又は暖気によって温度調整を行い、睡眠に適した環境を形成することができる。また、空調装置の冷風を天井近傍から、また、温風を床近傍から送風することによって、効率よく室内の冷房又は暖房を行うことができる。
【００１６】
請求項２においては、寝室家具のベッドで寝る人に直接光源が見えない間接照明を備えることができ、睡眠に適した環境を形成することができる。
【００１７】
請求項３においては、睡眠に適した環境を形成するための、空調装置と照明装置とを寝室家具に備えることができ、良好な睡眠環境を総合的に形成するとともに、寝室としてまとまりのあるインテリアデザインを容易に形成することができる。
【００１８】
請求項４においては、配管を室内の露出することがないのでインテリア性を高めることができる。
【００１９】
請求項５においては、寝室家具のベッドで寝る人に直接風を当てることなく、室内を冷房又は暖房することができる。
【発明を実施するための最良の形態】
【００２０】
次に、発明の実施の形態を説明する。
図１は本発明の実施例に係る寝室家具の全体的な構成を示した図、図２は寝室家具の側面図、図３は寝室家具に備えられた空調装置の構成を示す側面図である。
【００２１】
まず、本発明の実施例に係る寝室家具１０の構成について説明する。
図１及び図２に示す如く、寝室家具１０はベッド２０と天蓋３０とで構成されている。ベッド２０と天蓋３０とはヘッド側で連結させて側面視コ字状とすることもできるし、上下に平行に配置することもできる。この、寝室家具１０であるベッド２０と天蓋３０とによって形成された空間が個人睡眠空間４０であり、寝室のそれ以外の空間は個人睡眠空間を包囲する全体的な環境睡眠空間４１である。
本発明では、個人睡眠空間４０を取り囲む環境睡眠空間４１を空調・照明に関して整えるための装置として、寝室家具１０を構成している。寝室家具１０は寝室に複数組配設することもできる。
【００２２】
前記ベッド２０は、床４４上に載置された略矩形箱形状のベッドフレーム２１と、該ベッドフレーム２１のヘッド側に配設されたヘッドボード２２とで構成されている。ベッドフレーム２１には、ベットスプリング２３等が載置され、寝床が形成される。
ベッドフレーム２１の側部近傍、本実施例では側面に、照明装置の足下照明２５と、空調装置の温風吹出口２４とが設けられている。但し、温風吹出口２４はベッド２０の周囲から側方へ風を吹き出せるものであれば、ベッド２０に脚を設けて下部に空間を形成し、ベッド２０の下部に温風吹出口２４を設けて側方へ吹き出す構成とすることも可能である。
【００２３】
前記天蓋３０は、略矩形箱形状であって、天井４３に固設されている。但し、寝室の天井４３から天蓋３０を吊設して、個人睡眠空間４０の高さ方向の大きさを調節することもできる。人によっては、下がり天井の方が落ち着きを得られることもあるため、所望に応じて天蓋３０の高さを調節することが好ましい。
天蓋３０の側部近傍、本実施例では側面に、照明装置の天井照明３２と、空調装置の冷風吹出口３１とが設けられている。但し、天井照明３２と冷風吹出口３１は天蓋３０が吊り下げ式の場合には上部に配置することもできる。
【００２４】
前記天井照明３２と足下照明２５とは、寝室家具１０の側部近傍、本実施例では側面であって必要な位置に複数設けることができ、また、その配置は寝室家具１０の左右側面に限定されず、エンド側の面または下面にも設けることができる。
【００２５】
前記冷風吹出口３１・温風吹出口２４は寝室家具１０の側面に設けられている。なお、寝室家具１０を寝室に単数設けるときは、寝室家具１０の左右両側面に冷風吹出口３１・温風吹出口２４を設け、寝室家具１０を寝室に複数設けるときには、寝室家具１０の配置にもよるが、最も側方に配置された寝室家具１０の、他の寝室家具１０と面しない側面に冷風吹出口３１・温風吹出口２４を設ける。例えば、左右に二組の寝室家具１０・１０が配設された場合、右側に配置された寝室家具１０の右側面に冷風吹出口３１・温風吹出口２４を設け、左側に配置された寝室家具１０の左側面に冷風吹出口３１・温風吹出口２４を設ける。その配置は、寝室家具１０の左右側面に限定されず、エンド側の面にも設けることができる。
これは、複数の寝室家具１０が近接して並列配置されている場合に、寝室家具１０・１０の間で送気が衝突して寝室内の空気の流れを乱さないようにするためである。
【００２６】
前記照明装置と空調装置は、寝室家具１０・１０の側部に配置されたキャビネット等の寝室家具５０に設けられた操作パネル５１で操作することができる。なお、寝室家具１０・１０を複数設けるときには、寝室家具１０・１０間に一つの寝室家具５０を配置し、操作部を一カ所にまとめて配置することができる。
【００２７】
前記照明装置は、天蓋３０に配設された天井照明３２と、ベッド２０に配置された足下照明２５とで構成されている。
天井照明３２からは天井４３や壁に対して光が照射され、また、足下照明２５からは床４４に対して光が照射され、寝室が間接的に照らされる間接照明とされている。そして、照明３２・２５を天蓋３０又はベッド２０に付設して、寝室家具１０にて寝る人からは光源が直接見えないようにしている。これにより、グレアが低減され、室内に均一な光がもたらされる。
【００２８】
照明装置では、就寝又は起床に適した心理状態の形成を促すために、複数のモードが設けられ、モードが切換可能とされている。これらのモードの切換は切換スイッチを設けて手動とすることもできるし、また、予め設定した時間に切り替わるようにすることもできる。
【００２９】
例えば、照明装置には、夜と朝との照明状態を変更することができるように、朝昼モードと、夜モードと、深夜モードとが設定されている。
朝昼モードでは、朝や雨天時日中に活発な心理状態にするため、天井照明３２により寝室内が全体的に照明され、やや高めの照度（例えば、室内平均照度を２００ルクス程度）として、光の色温度は高めとする。夜モードでは、くつろぎの心理状態にするために、天井照明３２により寝室内が全体的に照明され、やや低めの照度（例えば、室内平均照度を５０ルクス以下）とし、光の色温度は低めの電球色とする。但し、朝昼モード及び夜モードにおいて、天井照明３２だけでなく足下照明２５を点灯して室内を照らすこともできる。
【００３０】
深夜モードでは、夜中にトイレへ行く等の移動が必要であるときに室内を歩行することができるように、寝室内がほのかに照らされる程度の照明状態が足下照明２５により形成される。例えば、深夜モードでの室内の平均照度は最も明るい部分で３〜５ルクスであり、室中央では１ルクス未満となるように、足下照明２５にて室内が照らされる。
深夜モードでは、終夜足下照明２５を点灯させたり、或いは、人感センサを設けて、寝室内での歩行者を検知したときに足下照明２５を点灯させたりすることができる。
【００３１】
前記空調装置には、図３にも示す如く、室内機６２と室外機６１と、室内機６２から冷気を送風する送風管６３と、室内機６２から暖気を送風する送風管６６と、室内温度センサ（図示せず）とが設けられている。空調装置では、冷房と暖房とを切り替えて運転することができる。
本実施例においては、室内機６２の配置は、寝室家具１０のヘッド側に配置された家具６４の内部空間とし、ともに、送風管６３と送風管６６とを家具６４に内装して寝室内に配線や配管等を露出することのないようにしている。但し、室内機６２や送風管６３や送風管６６等の配置はこれに限定されるものではなく、これらを天井４３や、床４４の下方等に配設することができる。
【００３２】
なお、空調装置は室内温度センサによって検出した室温に応じて適温を保持するように自動運転することができるように構成されおり、寝室内の室温が設定上限温度以上になれば、冷房が可動して、設定上限温度を維持し、室温が設定下限温度以下になれば、暖房が可動して、設定下限温度を維持する。例えば、設定上限温度は２８℃であり、設定下限温度は１５℃である。
【００３３】
送風管６３は天蓋３０の内部空間に形成された冷気溜６５に開口しており、冷気溜６５に連通する冷風吹出口３１から冷風Ｌが略水平方向に送風される。冷風吹出口３１より吹き出される冷風Ｌによって、寝室上部の天井４３付近に滞留した暖気が拡散され、寝室内全体に冷気が行き渡ることになる。
【００３４】
また、送風管６６はベッド２０のベッドフレーム２１の内部空間に形成された暖気溜６７に開口しており、暖気溜６７に連通する温風吹出口２４から温風Ｈが略水平方向に送風される。温風吹出口２４より吹き出される温風Ｈによって、寝室下部の床４４付近に滞留した冷気が拡散され、寝室内全体に暖気が行き渡ることになる。
【００３５】
空調装置の吹出口３１・２４から吹き出される冷風Ｌ又は温風Ｈは、いずれも略水平方向に吹き出されることとして、寝室家具１０のベッド２０と天蓋３０との間に形成される個人睡眠空間４０に、直接風が吹き込まれないようにしている。これにより環境睡眠空間４１が全体的に穏やかに冷房又は暖房されて、睡眠中の人を穏やかに包む冷気又は暖気が供給される。
【００３６】
上述の如く構成される寝室家具１０には、寝室のための環境形成要素である、温度と照明とのための装置が備えられて、寝室のための環境技術をまとめることで総合的な睡眠環境作りが図られている。これにより、照明装置と空調装置と寝室家具との、より睡眠環境を形成するために適した配置計画やインテリアデザイン計画を容易となる。
【図面の簡単な説明】
【００３７】
【図１】本発明の実施例に係る寝室家具の全体的な構成を示した図。
【図２】寝室家具の側面図。
【図３】寝室家具に備えられた空調装置の構成を示す側面図。
【符号の説明】
【００３８】
１０  寝室家具
２０  ベッド
２１  ベッドフレーム
２４  温風吹出口
２５  足下照明
３０  天蓋
３１  冷風吹出口
３２  天井照明 
【図１】
2005211317.tif 000003
【図２】
2005211317.tif 000004
【図３】
2005211317.tif 000005